(57)【要約】      （修正有）【課題】ぷよぷよとした弾力感のある触感を楽しむことができ、どの面でも、またどの角度でも壁面等に着脱可能に固定でき、視覚的に多様なデザインを楽しむことができるアクセサリーを提供する。【解決手段】アクセサリーは、内部に空洞１２を有し、外部から空洞に貫通する穴１１を有する伸縮性素材で形成されたアクセサリー本体１と、空洞内に非固定状態で設けられた永久磁石２と、穴に外部から挿入された栓３と、を備える。【選択図】図１
0003188894.tif 000002
【実用新案登録請求の範囲】
【請求項１】
内部に空洞を有し、外部から上記空洞に貫通する穴を有する伸縮性素材で形成されたアクセサリー本体と、
上記空洞内に非固定状態で設けられた永久磁石と、
上記穴に外部から挿入された栓と、
を備えたことを特徴とするアクセサリー。
【請求項２】
上記アクセサリー本体はシリコーンで形成された
ことを特徴とする請求項１に記載のアクセサリー。
【請求項３】
上記永久磁石は、上記穴を通過できない大きさである
ことを特徴とする請求項１又は請求項２に記載のアクセサリー。
【考案の詳細な説明】
【技術分野】
【０００１】
本考案は、冷蔵庫やスチール製の家具等の壁面に磁力により固定するアクセサリーに関するものであり、特に弾力性のある触感を楽しめ、且つどの部分、どの角度でも固定可能なアクセサリーに関するものである。
【背景技術】
【０００２】
キャラクター等の外部に磁石を設け、冷蔵庫やスチール製の机等の壁面に磁力により固定するアクセサリーやペーパホルダーは広く用いられている。磁石を用いているので、着脱可能であり、気軽に好きな位置に固定することが可能であり、また、自由に固定位置を選択し変更することもできる。
【０００３】
例えば、蝶や飛行機を模ったペーパホルダ―であり、支点稜を軸に、左右対称な両翼の下面にマグネットを埋設してシーソーの様に片翼がスチール面に磁着すれば片翼が開き、逆にすれば反対側の翼が磁着するペーパーホルダーが提案されている（例えば、特許文献１）。
【先行技術文献】
【特許文献】
【０００４】
【特許文献１】特開２０００−２２５７８９号
【考案の概要】
【考案が解決しようとする課題】
【０００５】
上述したようなアクセサリーやペーパーホルダーは、本体に固定された磁石により壁面等に固定するため、磁石面と壁面等が対向する位置でしか、本体を固定できなかった。
例えば、キャラクターの顔等を３次元で模ったようなアクセサリーであれば、顔と反対側に磁石を設けて壁面に固定し、前面が顔になるのが普通であった。
しかしながら、頭だけではなく、ほっぺや顔を壁面等と固定することができれば、よりバラエティに富んだ使用方法が可能である。
【０００６】
特に、アクセサリー本体がぷよぷよの触感、すなわち、弾力のある触感を有し、且つ、そのアクセサリー本体のどの面でも壁面等に固定できれば、視覚的にも触感の観点でもよりバラエティに富んだ楽しみ方が可能となる。
【課題を解決するための手段】
【０００７】
本考案の請求項１に係るアクセサリーは、
内部に空洞を有し、外部から上記空洞に貫通する穴を有する伸縮性素材で形成されたアクセサリー本体と、
上記空洞内に非固定状態で設けられた永久磁石と、
上記穴に外部から挿入された栓と、
を備えたことを特徴とする。
【０００８】
本考案の請求項２に係るアクセサリーは、アクセサリー本体がシリコーンで形成されたことを特徴とする。
【０００９】
本考案の請求項３に係るアクセサリーは、永久磁石が、穴を通過できない大きさであることを特徴とする。
【考案の効果】
【００１０】
本考案に係るアクセサリーは、上記のように構成されるため、ぷよぷよとした弾力感のある触感を楽しむことができる。そして、どの面でも、またどの角度でも壁面等に着脱可能に固定できるため、視覚的に多様なデザインを楽しむことができる。
また、壁面等との接触部分が変形するため、より強固な固定が可能である。
さらに、曲率を持った壁面にも固定可能である。
また、ペーパホルダ―としても使用可能である。
【図面の簡単な説明】
【００１１】
【図１】本考案に係るアクセサリーを構成する部品図である。
【図２】本考案に係るアクセサリーの（ａ）正面図および（ｂ）側面図である。
【図３】本考案に係るアクセサリーの使用例である。
【図４】本考案に係るアクセサリーの使用例である。
【図５】本考案に係るアクセサリーの使用例である。
【図６】本考案に係るアクセサリーの使用例である。
【図７】本考案に係るアクセサリーの使用例である。
【考案を実施するための形態】
【００１２】
実施の形態．
本考案に係るアクセサリーの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１３】
まず、図１および図２を用いて、本考案に係るアクセサリーの構成について説明する。
図１はアクセサリーを構成する部品を説明するための図であり、図２は、上記部品を組み立てて作製したアクセサリーの正面図と側面図である。
【００１４】
アクセサリーを構成する部品は、アクセサリー本体１、永久磁石２および栓３からなる。
アクセサリー本体１は伸縮性を持つ素材で構成されている。本実施の形態では、耐熱性や耐候性に優れたシリコーン樹脂を用いた。本体１は、厚みが１ｍｍ弱程度のシリコーン樹脂が閉曲面を形成し、その内部が空洞１２になっている。
そして、外部と空洞１２を繋ぐ穴１１が設けられている。穴１１は直径が３ｍｍ程度の円形穴である。ただし、穴１１の形状や大きさは適宜決めれば良い。
【００１５】
また、アクセサリー本体１の形状はキャラクターの顔を模ったものであり、表面には目や鼻、口等をデザインしている。
キャラクターデザインの邪魔にならないように、穴１１の位置は、顔の側面や背面といった目立たない場所に設けた方が良い。本実施の形態では側面に設けている。
【００１６】
アクセサリー本体１は、全体を一体成型で作製しても良いし、前面と背面を別々に成形法により作製し、熱圧着等で前面と背面を接着することで形成しても良い。また、穴１１はドリル等を用いた切削加工により形成する。あるいは、成形時に穴１１を予め設けるようにしても良い。
【００１７】
永久磁石２はフェライト磁石や希土類磁石であり、本実施の形態では、その形状を円柱形状としたが、直方体等の形状であっても良い。
永久磁石２は、穴１１から空洞１２内に入れる。
穴１１の大きさは、永久磁石２がすっぽりと入る大きさであっても良いが、永久磁石２よりも少し小さめの穴にした方が良い。穴１１を大きくすると、本体１の強度が弱くなり、穴１１から裂ける等の不良が生じやすい。また、アクセサリー全体のデザインに影響を与えないためにも小さい方が良い。
なお、穴１１が永久磁石２よりも少し小さくとも、本体１が伸縮性を持つ素材で構成されているので、穴１１を押し開くようにして、永久磁石２を空洞１２内に入れることができる。そして、永久磁石２は空洞１２内において、自由に動くことができる。
【００１８】
最後に、穴１１に接着剤を付け、栓３を挿入することで、本実施の形態に係るアクセサリーは完成する。
栓３により穴１１を空気が通過できないように封止することで、本体１を指で押した際に弾力性に富んだぷよぷよとした触感を楽しむことが可能となる。
【００１９】
穴１１を設けた理由は２つあり、第一の理由は、本体１の製造工程の自由度を増やし、より安価で且つ強固な本体１を作製するためである。
例えば、本体１を前面と背面を別々に成形法により作製し、熱圧着等で前面と背面を接着することで形成する場合、熱圧着時に圧力を加えるため、前面と背面がつぶれた状態で圧着されやすい。その後、穴１１を開けてやれば、穴１１から空洞１２に空気が流入し、前面と背面が十分に膨らんだ状態にできる。そして、栓３で穴１１を封止してやれば、本体１は弾力感のある膨らんだ状態になる。このようにして、本体１のぷよぷよ感のある触感を楽しむことができる。
なお、成形時に予め穴１１を設けるようにしても、同様の効果があることは明らかである。
【００２０】
第二の理由は、永久磁石の減磁を避けるためである。永久磁石は着磁後に高熱に晒されると、磁化が減少して磁力が劣化する。シリコーン樹脂等の伸縮性のある材料の形成には、一般に高熱の工程が存在するため、本体１が完成後に、穴１１から空洞１２に永久磁石２を入れることで、磁力が劣化を回避することができる。
また、本体１は伸縮性のある素材を用いているので、永久磁石よりも小さな穴１１を設ければ良く、穴１１を設けることによる本体１の強度劣化や本体１のデザイン性の低下を最小限に抑えることが可能である。
【００２１】
次に、本実施の形態に係るアクセサリーの使用方法について、図３から図７を用いて説明する。
まず、図３は、本体１の背面をスチール製等の壁面４に固定した例である。固定する際には、壁面４に本体１の背面が対向するように本体１を持ち、壁面４に本体１の背面を軽く押し当ててやれば良い。永久磁石２は、空洞１２内を自由に移動できるため、スチール製等の壁面４との間に生じる磁力により壁面４に向かって移動し、図３のように、本体１の背面を挟み込むように、壁面と対向して固定される。
【００２２】
図４は、本体１の前面をスチール製等の壁面４に固定した例である。このように、永久磁石２が空洞１２内を自由に移動できることで、本体１のどの面でも固定が可能である。
【００２３】
また、図５および図６は、本体１の側面をスチール製等の壁面４に固定した例である。このように、永久磁石２が空洞１２内を自由に移動できることで、側面も固定が可能であり、固定角度も、本体１の押し付け角度を変えることで様々な固定方法が可能となる。
また、壁面４に本体を押し付けた際に、本体１が伸縮性を有するので、永久磁石２と壁面４の距離がより小さくなり、強い磁力で強固に固定できる。
【００２４】
図７は、スチール製等の曲率を持った壁面５に本体１の側面を固定した例である。この例においても、本体１が伸縮性を有するので、本体１が曲率を持った壁面に沿った形状に変形し、永久磁石２と壁面５との距離がより小さくなり、強い磁力で強固に固定できる。
【００２５】
このように、好きな場所にキャラクターを模したアクセサリーをどの方向にも取り付けることができる。なお、スチール製等の壁面４あるいは壁面５と本体１の間にメモ等を挟むことで、ペーパーホルダーとしても利用可能である。
【００２６】
最後に、本考案に係るアクセサリーの有する特長について以下にまとめる。
本考案に係るアクセサリーは、上記のように構成されるため、ぷよぷよとした弾力感のある触感を楽しむことができる。
また、どの面でも、またどの角度でも壁面等に着脱可能に固定できるため、視覚的に多様なデザインを楽しむことができる。この際、壁面等との接触部分が壁面に沿って変形するため、壁面と永久磁石との距離が近くなり、より強固な固定が可能である。さらに、曲率を持った壁面にも強固に固定可能である。
【００２７】
また、アクセサリーとしてだけではなく、ペーパホルダ―として実用的な使用も可能である。
特に、本体１に穴１１を設けたことで、本体１の製造方法の自由度が広がり、安価で歩留まりの高い製造方法を選択できる。
【００２８】
さらに、本体１を形成後に、本体１の空洞１２内に永久磁石２を入れることができるため、永久磁石２が減磁して磁力が減少することがない。また、穴１１を永久磁石が通過できない小さなサイズとすることも可能であり、本体１が穴を開けたことにより強度が減少したり、デザイン的に不自然さが生じることを最小限に抑えることができる。
【符号の説明】
【００２９】
１    本体  
２    永久磁石
３    栓
４    壁面
５    曲率を有する壁面
１１  穴
【図１】
0003188894.tif 000003
【図２】
0003188894.tif 000004
【図３】
0003188894.tif 000005
【図４】
0003188894.tif 000006
【図５】
0003188894.tif 000007
【図６】
0003188894.tif 000008
【図７】
0003188894.tif 000009